(57)【要約】【課題】複数の撮像手段により撮像された動画像のうち、観察者が観察した光景により近い、画像または映像を、観察記録に関連付けること。【解決手段】観察メモ取得部３０は、それぞれが異なる撮像範囲を有する複数のビデオカメラが設置された観察空間で観察者が入力した観察メモを取得し、観察領域特定部３２は、観察者が指定した観察空間内の観察領域を特定し、位置特定部３８は、観察者が前記観察記録を入力したタイミングでの観察者の位置を特定し、ビデオカメラ選択部３４は、撮像範囲が観察領域の少なくとも一部を含み、かつ、観察領域内の位置を望む方向が、位置特定部３８が特定した位置から観察領域内の位置を望む方向と類似するビデオカメラを、複数のビデオカメラのうちから選択し、観察ノート生成部３６は、ビデオカメラ選択部３４が選択したビデオカメラが撮像した動画像を観察メモに関連づける。【選択図】図１１
2010154085.tif 000002
【特許請求の範囲】
【請求項１】
それぞれが異なる撮像範囲を有する複数の撮像手段が設置された観察空間で観察者が入力した観察記録を取得する観察記録取得手段と、
前記観察者が前記観察記録を入力したタイミングに対応するタイミングにおける、前記観察者の位置を特定する位置特定手段と、
前記観察者が指定した前記観察空間内の観察領域を特定する領域特定手段と、
前記撮像範囲が前記領域特定手段により特定された観察領域の少なくとも一部を含み、かつ、前記観察領域内の位置を望む方向が、前記位置特定手段により特定された位置から前記観察領域内の位置を望む方向と類似する前記撮像手段を、前記複数の撮像手段のうちから少なくとも１つ選択する選択手段と、
前記選択手段により選択された撮像手段が撮像した動画像のうち前記観察者が前記観察記録を入力したタイミングに対応するタイミングの、画像または該画像を含む動画像を、前記観察記録取得手段が取得した観察記録に関連づける手段と、
を含むことを特徴とする情報処理装置。
【請求項２】
前記観察者が観察した被観察者の識別情報が入力された場合に、該識別情報を、前記観察記録取得手段が取得した観察記録に関連づける手段と、
前記観察者が観察した被観察者の特徴が入力された場合に、該特徴を有する人物を含む画像を、前記選択手段により選択された撮像手段が撮像した動画像から抽出する画像抽出手段と、
前記画像抽出手段が抽出した画像に含まれる人物の識別情報を取得する識別情報取得手段と、
前記識別情報取得手段により取得された識別情報を、前記観察記録取得手段が取得した観察記録に関連づける手段と、
をさらに含むことを特徴とする請求項１に記載の情報処理装置。
【請求項３】
それぞれが異なる撮像範囲を有する複数の撮像手段が設置された観察空間で観察者が入力した観察記録を取得する観察記録取得手段、
前記観察者が前記観察記録を入力したタイミングに対応するタイミングにおける、前記観察者の位置を特定する位置特定手段、
前記観察者が指定した前記観察空間内の観察領域を特定する領域特定手段、
前記撮像範囲が前記領域特定手段により特定された観察領域の少なくとも一部を含み、かつ、前記観察領域内の位置を望む方向が、前記位置特定手段により特定された位置から前記観察領域内の位置を望む方向と類似する前記撮像手段を、前記複数の撮像手段のうちから少なくとも１つ選択する選択手段、
前記選択手段により選択された撮像手段が撮像した動画像のうち前記観察者が前記観察記録を入力したタイミングに対応するタイミングの、画像または該画像を含む動画像を、前記観察記録取得手段が取得した観察記録に関連づける手段、
としてコンピュータを機能させるプログラム。
【発明の詳細な説明】
【技術分野】
【０００１】
本発明は、情報処理装置及びプログラムに関する。
【背景技術】
【０００２】
筆記情報と、画像情報又は映像情報と、を併用して、観察者が観察の記録を残すことが行われている。なお、下記特許文献１には、動きが検出されたとき画像を取得する監視カメラシステムが開示されている。
【特許文献１】特開２００８−４２６９５号公報
【発明の開示】
【発明が解決しようとする課題】
【０００３】
本発明の目的は、複数の撮像手段により撮像された動画像のうち、観察者が観察した光景により近い、画像または映像を、観察記録に関連付けることができる情報処理装置、及びプログラムを提供することである。
【課題を解決するための手段】
【０００４】
上記課題を解決するために、請求項１の情報処理装置は、それぞれが異なる撮像範囲を有する複数の撮像手段が設置された観察空間で観察者が入力した観察記録を取得する観察記録取得手段と、前記観察者が前記観察記録を入力したタイミングに対応するタイミングにおける、前記観察者の位置を特定する位置特定手段と、前記観察者が指定した前記観察空間内の観察領域を特定する領域特定手段と、前記撮像範囲が前記領域特定手段により特定された観察領域の少なくとも一部を含み、かつ、前記観察領域内の位置を望む方向が、前記位置特定手段により特定された位置から前記観察領域内の位置を望む方向と類似する前記撮像手段を、前記複数の撮像手段のうちから少なくとも１つ選択する選択手段と、前記選択手段により選択された撮像手段が撮像した動画像のうち前記観察者が前記観察記録を入力したタイミングに対応するタイミングの、画像または該画像を含む動画像を、前記観察記録取得手段が取得した観察記録に関連づける手段とを含むことを特徴とする。
【０００５】
また、請求項２の情報処理装置は、請求項１の情報処理装置において、前記観察者が観察した被観察者の識別情報が入力された場合に、該識別情報を、前記観察記録取得手段が取得した観察記録に関連づける手段と、前記観察者が観察した被観察者の特徴が入力された場合に、該特徴を有する人物を含む画像を、前記選択手段により選択された撮像手段が撮像した動画像から抽出する画像抽出手段と、前記画像抽出手段が抽出した画像に含まれる人物の識別情報を取得する識別情報取得手段と、前記識別情報取得手段により取得された識別情報を、前記観察記録取得手段が取得した観察記録に関連づける手段と、をさらに含むことを特徴とする。
【０００６】
また、請求項３に記載のプログラムは、それぞれが異なる撮像範囲を有する複数の撮像手段が設置された観察空間で観察者が入力した観察記録を取得する観察記録取得手段、前記観察者が前記観察記録を入力したタイミングに対応するタイミングにおける、前記観察者の位置を特定する位置特定手段、前記観察者が指定した前記観察空間内の観察領域を特定する領域特定手段、前記撮像範囲が前記領域特定手段により特定された観察領域の少なくとも一部を含み、かつ、前記観察領域内の位置を望む方向が、前記位置特定手段により特定された位置から前記観察領域内の位置を望む方向と類似する前記撮像手段を、前記複数の撮像手段のうちから少なくとも１つ選択する選択手段、前記選択手段により選択された撮像手段が撮像した動画像のうち前記観察者が前記観察記録を入力したタイミングに対応するタイミングの、画像または該画像を含む動画像を、前記観察記録取得手段が取得した観察記録に関連づける手段、としてコンピュータを機能させることを特徴とする。
【０００７】
なお、上記プログラムは、インターネットなどの通信ネットワークを介して提供されてもよいし、フレキシブルディスク、ＣＤ−ＲＯＭ、ＤＶＤ−ＲＯＭなどのコンピュータ読み取り可能な各種情報記録媒体に格納されて提供されてもよい。
【０００８】
また、上記プログラムは、コンピュータ読み取り可能な情報記録媒体に記憶されてもよい。情報記録媒体としては、例えば、磁気テープ、フレキシブルディスク、ハードディスク、ＣＤ−ＲＯＭ、ＭＯ、ＭＤ、ＤＶＤ−ＲＯＭ、ＩＣカードなどを用いることができる。
【発明の効果】
【０００９】
請求項１及び請求項３の発明によれば、複数の撮像手段により撮像された動画像のうち、観察者が観察した光景により近い、画像または映像を、観察記録に関連付けることができる。
【００１０】
請求項２の発明によれば、観察者の知らない対象が観察空間に存在していても、観察の精度の低下が抑止されるようになる。
【発明を実施するための最良の形態】
【００１１】
［１．観察空間について］
本発明の実施形態について図面を参照しながら説明する。図１は、観察者２がフィールドワークを行う観察空間４の見取り図の一例である。観察空間４は、例えば、企業のオフィスである。図１では、観察空間に配置されている机や椅子等を省略している。
【００１２】
図１に示すように、観察空間４は、観察者２と、ビデオカメラ６ａ、ビデオカメラ６ｂ、及びビデオカメラ６ｃの計３台のビデオカメラと、複数の被観察者８と、を含む。観察者２は、観察対象期間中、観察空間４内を動き回り、被観察者８を観察する。各ビデオカメラは、観察対象期間中の観察空間４内の様子を撮像し、観察対象期間中に撮像した映像を示す情報（以下、映像情報）を記憶する。なお、各ビデオカメラは、観察空間４の所定位置に設置され、図１の矢印で示されるように、それぞれ異なる撮像範囲を有している。被観察者８は、例えば、観察空間４で働いている従業員である。以下、ビデオカメラ６ａ、ビデオカメラ６ｂ、及びビデオカメラ６ｃを区別しない場合、これらをビデオカメラ６と記載する。
【００１３】
また、観察空間４には仮想的なブロックが複数設定されている。点線で区画された領域が、各ブロックを表している。各ブロックは、その行列番号により特定される。例えば、観察者２を含むブロックは、（３，６）と表される。
【００１４】
［２．観察方法について］
観察者２は、発光機器を保持したまま、観察空間４内を移動する。また、観察者２は、携帯型コンピュータを保持したまま、観察空間４内を移動する。携帯型コンピュータのタッチパネルには、図２に示す観察シートが表示される。観察者２は、観察対象期間中、タッチパネルに表示された観察シートに情報を入力する。図２（ａ）は、観察者２により情報が入力される前の観察シートの一例を示し、図２（ｂ）は、観察者２により情報が入力された後の観察シートの一例を示す。
【００１５】
図２に示すように、観察シートは、被観察者フィールドと、メモフィールドと、場所フィールドと、を含む。観察者２は、観察者２の観察対象となっている被観察者８の名前（例えば、田中）を入力する場合、図２（ｂ）に示すように、その被観察者８の名前の左に位置するチェックボックスにチェックマークを記載する。なお、観察者２は、観察対象となっている被観察者８の名前を知らない場合がある。この場合、観察者２は、観察対象となっている被観察者８の特徴を入力することができる。観察対象となっている被観察者８の特徴を入力する場合、観察者２は、チェックボックスにチェックマークを記載した上で、そのチェックボックスの右の余白に、観察対象となっている被観察者８の特徴を示す文言を記載する。図２（ｂ）では、被観察者８の特徴として「帽子」と記載されている。
【００１６】
また、観察者２は、観察内容に関するメモ（以下、観察メモ）を入力する場合、メモフィールドに、観察メモを記載する。例えば、観察者２は、図２（ｂ）に示すように、メモフィールドに観察メモである文章を記載する。
【００１７】
また、観察者２は、観察対象となっている領域（以下、観察領域）を指定する場合、観察者２は、図２（ｂ）に示すように、場所フィールドに表示された観察空間４の見取図の縮小図（以下、縮小見取図）上に観察領域を囲む軌跡を記載することにより、観察領域を指定する。
【００１８】
なお、携帯型コンピュータでは、各フィールドに記載された情報と、各フィールドに情報が記載された時刻と、を含む情報（以下、観察情報）が記憶される。
【００１９】
観察対象期間が終了すると、後述の情報処理装置１０の情報処理により、図３に示す観察ノートが生成される。
【００２０】
図３は、観察ノートの一例を示す図である。同図に示すように、観察ノートは、時刻フィールドと、被観察者フィールドと、メモフィールドと、場所フィールドと、スナップショットフィールドと、を含む。
【００２１】
［３．情報処理装置について］
以下、情報処理装置１０よって行われる、観察ノートを生成するための処理について説明する。
【００２２】
［ハードウェア構成］
図４は、情報処理装置１０のハードウェア構成の一例を示す図である。同図に示すように、情報処理装置１０は、制御部１２と、主記憶部１４と、補助記憶部１６と、操作部１８と、表示部２０と、を含む公知のコンピュータシステムである。各部は、バス２２によりデータ授受可能に接続される。なお、情報処理装置１０は、図示しない通信インタフェースやスピーカ等も含む。
【００２３】
制御部１２は例えばマイクロプロセッサである。制御部１２は、主記憶部１４に記憶されるプログラムに従って情報処理を実行する。
【００２４】
主記憶部１４は、例えばＲＡＭである。主記憶部１４には上記プログラムが格納される。また主記憶部１４には情報処理の過程で必要となる各種データが格納される。
【００２５】
操作部１８は、ユーザが操作入力を行うためのユーザインタフェースである。操作部１８は、例えばキーボードやマウスである。表示部２０は、例えばディスプレイである。表示部２０は、制御部１２から出力される情報を表示する。
【００２６】
補助記憶部１６は例えばハードディスクである。補助記憶部１８には各種データが格納される。本実施形態の場合、例えば、以下に示すデータが格納される。
１．各ビデオカメラ６に記憶されている映像情報
２．携帯型コンピュータに記憶されている観察情報
３．人物データベース
４．撮像範囲テーブル
【００２７】
本実施形態の場合、映像情報は、観察対象期間終了後、各ビデオカメラ６から転送されて、補助記憶部１６に格納される。また、観察情報も、観察対象期間終了後、携帯型コンピュータから転送されて、補助記憶部１６に格納される。人物データベース、及び撮像範囲テーブルは、補助記憶部１８に予め格納される。
【００２８】
図５は、人物データベースの一例を示す図である。人物データベースは、観察空間４で働いている従業員の名前の各々と、その従業員の画像と、を対応付けてなるテーブルである。本実施形態の場合、このテーブルは、名前フィールドと、画像フィールドと、を含む。名前フィールドには、従業員の名前が格納される。また、画像フィールドには、従業員の画像が格納される。
【００２９】
図６は、撮像範囲テーブルを示す図である。撮像範囲テーブルは、各ビデオカメラ６と、その撮像範囲と、を関連づけてなるテーブルである。本実施形態の場合、撮像範囲テーブルは、ビデオカメラフィールドと、撮像範囲フィールドと、を含む。ビデオカメラフィールドには、各ビデオカメラ６のＩＤが格納される。また、撮像範囲フィールドには、各ビデオカメラ６の撮像範囲を示す情報が格納される。ここでは、各ビデオカメラ６の撮像範囲に含まれるブロックの特定情報が格納される。
【００３０】
［情報処理装置で実行される処理］
図７は、情報処理装置１０で実行される処理の一例を示すフローチャート図である。この処理は、制御部１２が主記憶部１４に記憶されるプログラムに従って動作することにより実行される。本実施形態の場合、この処理は、情報処理装置１０のユーザが所定操作を行った場合に実行される。
【００３１】
制御部１２は、観察者２により観察メモが入力された時刻Ｔを特定する（Ｓ１０１）。本実施形態の場合、制御部１２は、上記観察情報を参照して、観察メモが観察シートのメモフィールドに記載された時刻を、時刻Ｔとして特定する。
【００３２】
そして、制御部１２は、図３に示すように、観察ノートの時刻フィールドに時刻Ｔを挿入する（Ｓ１０２）。
【００３３】
また、制御部１２は、観察者２により指定された観察領域を特定する（Ｓ１０３）。本実施形態の場合、制御部１２は、上記観察情報を参照して、上記縮小見取図上に記載された軌跡により囲まれるブロックを、観察領域として特定する。
【００３４】
そして、制御部１２は、図３に示すように、Ｓ１０３のステップで特定した観察領域を、観察ノートの場所フィールドに挿入する（Ｓ１０４）。本実施形態の場合、上記縮小見取図上に記載された軌跡により囲まれるブロックの特定情報を、観察ノートの場所フィールドに挿入する。
【００３５】
また、制御部１２は、観察者２により入力された観察メモを取得する（Ｓ１０５）。本実施形態の場合、制御部１２は、上記観察情報を参照し、観察シートのメモフィールドに記載された観察メモを取得する。
【００３６】
そして、制御部１２は、Ｓ１０５のステップで取得した観察メモを、観察ノートのメモフィールドに挿入する（Ｓ１０６）。
【００３７】
また、制御部１２は、ビデオカメラ６の映像情報から、観察者２が観察メモを入力したときの観察空間４の様子を示す画像（以下、スナップショット画像）を取得する（Ｓ１０７）。
【００３８】
本実施形態の場合、制御部１２は、図８に示すように、Ｓ１０３のステップで特定された観察領域に基づいて、ビデオカメラ６ごとに評価点Ｅｖを算出する（Ｓ２０１）。
【００３９】
具体的には、制御部１２は、ビデオカメラ６の評価点Ｅｖを、以下の式（１）に従って算出する。
Ｅｖ＝α１＊Ｃｏ＋α２＊Ｓｉ＋α３＊Ｄｉ・・・（１）
【００４０】
ここで、α１、α２、及びα３は、予め定められた数値である。また、カバー率Ｃｏは、ビデオカメラ６の撮像範囲に含まれるブロックの数に対する、観察領域に含まれるブロックの数の割合である。また、距離Ｄｉは、例えば、観察領域内の位置（例えば、観察領域の重心位置）からのビデオカメラ６の距離である。
【００４１】
また、視野類似度Ｓｉは、時刻Ｔにおける観察者２の視線方向Ｑと、ビデオカメラ６の視線方向Ｓと、の類似度である。ここでは、視野類似度Ｓｉは、時刻Ｔにおける観察者２の視線方向Ｑと、ビデオカメラ６の視線方向Ｓと、がなす角度の余弦である。ここでは、図９に示すように、時刻Ｔにおける観察者２の位置から観察領域内の位置Ｐ（例えば、観察領域の重心位置）を見たときの方向が、時刻Ｔにおける観察者２の視線方向Ｑとして用いられ、ビデオカメラ６から位置Ｐを見たときの方向が、ビデオカメラ６の視線方向Ｓとして用いられる。従って、時刻Ｔにおける観察者２の位置と、観察領域と、の位置関係によって、視野類似度Ｓｉの値は変化することとなる。なお、制御部１２は、時刻Ｔにおける観察者２の位置を、各ビデオカメラ６が時刻Ｔで撮像した画像における上記発光機器の位置に基づいて特定する。
【００４２】
そして、制御部１２は、評価点Ｅｖが１〜Ｎ（Ｎは２以下の正の整数）番目に大きいビデオカメラ６を選択する。本実施形態の場合、制御部１２は、評価点Ｅｖが最も大きいビデオカメラ６を選択する（Ｓ２０２）。Ｓ２０１及びＳ２０２に示す処理により、その撮像範囲が観察領域の少なくとも一部を含み、かつ、観察領域内の位置Ｐを望む方向が、時刻Ｔにおける観察者２の位置から位置Ｐを望む方向と類似するビデオカメラ６が選択される。
【００４３】
そして、制御部１２は、Ｓ２０２のステップで選択したビデオカメラ６の映像情報を参照し、時刻Ｔで該ビデオカメラ６が撮像した画像をスナップショット画像として取得する（Ｓ２０３）。
【００４４】
スナップショット画像を取得すると、制御部１２は、図３に示すように、該スナップショット画像を、観察ノートのスナップショットフィールドに挿入する（Ｓ１０８）。その結果、スナップショットが観察メモと関連づけられる。
【００４５】
また、制御部１２は、観察者２の観察対象となった被観察者８の名前を取得する（Ｓ１０９）。
【００４６】
本実施形態の場合、制御部１２は、Ｓ１０９のステップにおいて、上記観察情報を参照し、チェックマークが記載されたチェックボックスを特定する。そして、制御部１２は、チェックマークが記載されたチェックボックスの各々について図１０に示す処理を実行することにより、観察者２の観察対象となった被観察者８の名前を特定する。
【００４７】
すなわち、制御部１２は、観察情報を参照し、処理対象となっているチェックボックスの右に記載された文言が、人物データベースの名前フィールドに格納されるいずれかの名前と一致するか否かを判定する（Ｓ３０１）。
【００４８】
処理対象となっているチェックボックスの右に記載された文言が、人物データベースの名前フィールドに格納されるいずれかの名前と一致する場合（Ｓ３０１のＹ）、処理対象となっているチェックボックスの右に記載された名前を、観察者２の観察対象となった被観察者８の名前として取得する（Ｓ３０２）。
【００４９】
一方、処理対象となっているチェックボックスの右に記載された文言が、人物データベースの名前フィールドに格納されるいずれの名前にも一致しない場合（Ｓ３０１のＮ）、すなわち、処理対象となっているチェックボックスの右に被観察者８の特徴が記載された場合、制御部１２は、Ｓ１０７のステップで取得したスナップショット画像から、公知の画像処理技術を用いて、該特徴を有する人物の画像を抽出する（Ｓ３０３）。例えば、制御部１２は、処理対象となっているチェックボックスの右に「帽子」と記載されている場合、スナップショットから帽子をかぶっている人物の画像を抽出する。
【００５０】
そして、制御部１２は、Ｓ３０３のステップで抽出した画像を表示部２０に表示させる（Ｓ３０４）。Ｓ３０４のステップで表示部２０に表示された画像を参照したユーザが該画像に含まれる人物の名前を入力すると、制御部１２は、ユーザが入力した名前を、観察者２の観察対象となった被観察者８の名前として取得する（Ｓ３０５）。なお、制御部１２は、Ｓ３０３のステップで抽出した画像を人物データベースの画像フィールドに追加記憶したり、ユーザが入力した名前を人物データベースの名前フィールドに追加記憶したりすることも行う。
【００５１】
観察者２の観察対象となった被観察者８の名前を取得すると、制御部１２は、図３に示すように、Ｓ１０９のステップで取得した名前を、観察ノートの被観察者フィールドに挿入する（Ｓ１１０）。その結果、観察者２が被観察者８の名前を入力していた場合は、その名前が観察メモに関連づけられる。また、観察者２が被観察者８の特徴を入力していた場合は、その特徴を有する人物の名前が観察メモに関連づけられる。例えば、図３によれば、帽子をかぶっている人物の名前「福田」が観察ノートの被観察者フィールドに挿入されている。
【００５２】
［機能ブロック］
図１１は、情報処理装置１０が有する機能のうち、本発明に関連するものを主として示す機能ブロック図である。同図に示すように情報処理装置１０は、観察メモ取得部３０と、観察領域特定部３２と、ビデオカメラ選択部３４と、観察ノート生成部３６と、を含む。これらの機能は、制御部１２が上記プログラムに従って動作することにより実現される。
【００５３】
観察メモ取得部３０（観察記憶取得手段）は、制御部１２を主として実現される。観察メモ取得部３０は、観察者２が入力した観察メモを取得する。
【００５４】
本実施形態の場合、観察メモ取得部３０は、上記観察情報を参照し、観察シートのメモフィールドに記載された観察メモを取得する（図７のＳ１０５）。なお、観察メモ取得部３０は、観察者２により観察メモが入力された時刻Ｔを特定することも行う（図７のＳ１０１）。
【００５５】
観察領域特定部３２（領域特定手段）は、制御部１２を主として実現される。観察領域特定部３２は、観察者２が指定した観察領域を特定する。
【００５６】
本実施形態の場合、観察領域特定部３２は、上記観察情報を参照して、上記縮小見取り図上に記載された軌跡により囲まれるブロックを、観察領域として特定する（図７のＳ１０３）。
【００５７】
ビデオカメラ選択部３４（選択手段）は、制御部１２を主として実現される。ビデオカメラ選択部３４は、位置特定部３８を含み、ビデオカメラ選択部３４は、観察領域特定部３２により特定された観察領域に基づいて、３台のビデオカメラ６のうちから少なくとも１台のビデオカメラ６を選択する。
【００５８】
本実施形態の場合、ビデオカメラ選択部３４は、時刻Ｔにおける観察者２の位置と、観察領域特定部３２により特定された観察領域と、の位置関係に基づいてビデオカメラ６を選択する。具体的には、ビデオカメラ選択部３４は、各ビデオカメラ６の評価点Ｅｖを上記式（１）に従って算出する（図８のＳ２０１）。例えば、カバー率Ｃｏを算出する場合、ビデオカメラ選択部３４は、ビデオカメラ６の撮像範囲に含まれるブロックの数に対する、観察領域特定部３２が特定した観察領域に含まれるブロックの数の割合を算出する。また、例えば、距離Ｄｉを算出する場合、ビデオカメラ選択部３４は、観察領域内の位置（例えば、観察領域の重心位置）からのビデオカメラ６の距離を算出する。
【００５９】
また、例えば、視野類似度Ｓｉを算出する場合、ビデオカメラ選択部３４は、時刻Ｔにおける観察者２の位置から観察領域内の位置Ｐ（例えば、観察領域の重心位置）を見たときの方向Ｑと、ビデオカメラ６から位置Ｐを見たときの方向Ｓと、の角度の余弦を算出する。その結果、その撮像範囲が観察領域の少なくとも一部を含み、かつ、観察領域内の位置Ｐを望む方向が、時刻Ｔにおける観察者２の位置から位置Ｐを望む方向と類似するビデオカメラ６が選択される。なお、時刻Ｔにおける観察者２の位置は、例えば各ビデオカメラ６が時刻Ｔで撮像した画像における上記発光体の位置に基づいて、位置特定部３８が特定する。
【００６０】
観察ノート生成部３６は、制御部１２を主として実現される。観察ノート生成部３６は、スナップショット取得部４０と、画像抽出部４２と、名前取得部４４と、を含む。観察ノート生成部３６は、観察ノートを生成する。
【００６１】
本実施形態の場合、観察ノート生成部３６は、観察メモ取得部３０により特定された時刻Ｔを、観察ノートの時刻フィールドに挿入する（図７のＳ１０２）。
【００６２】
また、観察ノート生成部３６は、観察領域特定部３２が特定した観察領域を、観察ノートの場所フィールドに挿入する（図７のＳ１０４）。
【００６３】
また、観察ノート生成部３６は、観察メモ取得部３０が取得した観察メモを、観察ノートのメモフィールドに挿入する（図７のＳ１０６）。
【００６４】
また、観察ノート生成部３６は、ビデオカメラ選択部３４が選択したビデオカメラ６が観察対象期間中に撮像した映像又は画像を、観察ノートのスナップショットフィールドに挿入することにより、該ビデオカメラ６が観察対象期間中に撮像した映像又は画像を、観察メモ取得部３０が取得した観察メモに関連づける。
【００６５】
本実施形態の場合、スナップショット取得部４０が、ビデオカメラ選択部３４が選択したビデオカメラ６の映像情報を参照し、時刻Ｔで該ビデオカメラ６が撮像した画像をスナップショット画像として取得する（図７のＳ１０７及び図８のＳ２０３）。そして、観察ノート生成部３６は、スナップショット取得部４０が取得したスナップショット画像を観察ノートのスナップショットフィールドに挿入する（図７のＳ１０８）。
【００６６】
また、観察ノート生成部３６は、観察者２の観察対象となった被観察者８の名前を観察ノートの被観察者フィールドに挿入することにより、観察者２の観察対象となった被観察者８の名前を、観察メモ取得部３０が取得した観察メモに関連づける。
【００６７】
本実施形態の場合、観察ノート生成部３６は、上記観察情報を参照し、チェックボックスの右に記載された文言が、人物データベースの名前フィールドに格納されるいずれかの名前と一致する場合、処理対象となっているチェックボックスの右に記載された名前を、観察者２の観察対象となった被観察者８の名前として、観察ノートの被観察者フィールドに挿入する（図１０のＳ３０１、図１０のＳ３０２、及び図７のＳ１１０）。その結果、観察者２が観察対象期間において観察した被観察者８の名前を入力していた場合、該名前が、観察メモ取得部３０が取得した観察メモに関連づけられることとなる。
【００６８】
一方、チェックボックスの右に記載された文言が、人物データベースの名前フィールドに格納されるいずれの名前にも一致しない場合、すなわち、処理対象となっているチェックボックスの右に被観察者８の特徴が記載された場合、画像抽出部４２が、ビデオカメラ選択部３４が選択したビデオカメラ６の映像情報を参照し、該ビデオカメラ６が観察対象期間中に撮像した映像又は画像（例えば、スナップショット取得部４０が取得したスナップショット画像）から、特徴を有する人物の画像を抽出する（図１０のＳ３０３）。その後、名前取得部４４が、画像抽出部４２により抽出された画像に含まれる人物の名前を取得すると（図１０のＳ３０５）、観察ノート生成部３６は、名前取得部４４に取得された名前を、観察者２の観察対象となった被観察者８の名前として、観察ノートの被観察者フィールドに挿入する（図７のＳ１１０）。その結果、観察者２が観察対象期間において観察した被観察者８の特徴を入力していた場合、その特徴を有する人物の名前が、観察メモ取得部３０が取得した観察メモに関連づけられることとなる。
【００６９】
なお、本発明は、以上に説明した実施形態に限定されるものではない。
【００７０】
例えば、評価点Ｅｖは、式（１）で表されるものだけに限らない。例えば、Ｅｖは、以下、式（２）〜式（４）のいずれかに従って算出されてもよい。
Ｅｖ＝α１＊Ｃｏ・・・式（２）
Ｅｖ＝α１＊Ｃｏ＋α２＊Ｓｉ・・・式（３）
Ｅｖ＝α１＊Ｃｏ＋α２＊Ｓｉ＋α３＊Ｄｉ＋α４＊Ｐ・・・式（４）
ここで、α４は予め定められた数値であり、Ｐは、ビデオカメラ６が時刻Ｔで撮像した画像に含まれる、観察者２により指定された被観察者８（チェックボックスにチェックマークが記載された被観察者８）の数である。
【００７１】
また、例えば、制御部１２は、Ｓ２０３のステップにおいて、ビデオカメラ６が時刻Ｔで撮像した画像をスナップショット画像として取得する代わりに、ビデオカメラ６が時刻Ｔ−ΔＴから時刻Ｔ＋ΔＴまでの間に撮像した映像のうちから観察者２により指定された被観察者８の画像を最も多く含む画像を抽出し、抽出した画像をスナップショット画像として取得するようにしてもよい。
【００７２】
また、例えば、上記実施形態では、観察者２は、携帯型コンピュータのタッチパネルに表示された観察シートにチェックマーク等を記載することで、被観察者８の入力、観察領域の指定等を行ったが、被観察者８の入力方法や観察領域の指定方法はどのような方法であってもよい。例えば、特殊な配列を有するドットパターンが印刷された特別な用紙に観察シートを印刷しておき、この用紙にデジタルペンでチェックマーク等を記載することにより、被観察者８の入力や観察領域の指定を行うようにしてもよい。この場合、デジタルペンに記憶される筆跡情報を観察情報として用いればよい。
【図面の簡単な説明】
【００７３】
【図１】観察空間の見取図の一例を示す図である。
【図２】観察シートの一例を示す図である。
【図３】観察ノートの一例を示す図である。
【図４】本発明の実施形態に係る情報処理装置のハードウェア構成を示す図である。
【図５】人物データベースの記憶内容の一例を示す図である。
【図６】撮像範囲テーブルの記憶内容の一例を示す図である。
【図７】本発明の実施形態に係る情報処理装置にて実行される処理の一例を示すフロー図である。
【図８】本発明の実施形態に係る情報処理装置にて実行される処理の一例を示すフロー図である。
【図９】視野類似度の算出方法を説明するための図である。
【図１０】本発明の実施形態に係る情報処理装置にて実行される処理の一例を示すフロー図である。
【図１１】本発明の実施形態に係る情報処理装置が有する機能を示す機能ブロック図である。
【符号の説明】
【００７４】
２  観察者、４  観察空間、６ａ，６ｂ，６ｃ  ビデオカメラ、８  被観察者、１０  情報処理装置、１２  制御部、１４  主記憶部、１６  補助記憶部、１８  操作部、２０  表示部、２２  バス、３０  観察メモ取得部、３２  観察領域特定部、３４  ビデオカメラ選択部、３６  観察ノート生成部、３８  位置特定部、４０  スナップショット取得部、４２  画像抽出部、４４  名前取得部。
【図１】
2010154085.tif 000003
【図２】
2010154085.tif 000004
【図３】
2010154085.tif 000005
【図４】
2010154085.tif 000006
【図５】
2010154085.tif 000007
【図６】
2010154085.tif 000008
【図７】
2010154085.tif 000009
【図８】
2010154085.tif 000010
【図９】
2010154085.tif 000011
【図１０】
2010154085.tif 000012
【図１１】
2010154085.tif 000013